(57)【要約】【課題】マルチ画面表示装置を構成する部分画像表示面の境界付近であっても大きな誤差を含むことなくライトペンの指し示す座標を検出する。【解決手段】複数の部分画像表示装置を行列状に配列したマルチ画面表示装置であって、部分画像表示装置のそれぞれは、画像表示サブフィールドと、表示装置識別サブフィールドと、行方向に長い第１の発光線を列方向に走査するｙ座標検出サブフィールドと、列方向に長い第２の発光線を行方向に走査するｘ座標検出サブフィールドと、を含む複数のサブフィールドで１フィールド期間を構成し、第１の発光線の走査する向きは、奇数列目の部分画像表示装置と偶数列目の部分画像表示装置とで互いに逆向きであり、第２の発光線の走査する向きは、奇数行目の部分画像表示装置と偶数行目の部分画像表示装置とで互いに逆向きである。【選択図】図９
2015135534.tif 000002
【特許請求の範囲】
【請求項１】
複数の部分画像表示装置をＮ行Ｍ列（Ｎ、Ｍの少なくとも一方は２以上）の行列状に配列して１つの画像表示面を構成するマルチ画面表示装置であって、
前記部分画像表示装置のそれぞれは、画像を表示するための画像表示サブフィールドと、前記部分画像表示装置を識別する表示装置識別サブフィールドと、行方向に長い第１の発光線を列方向に走査するｙ座標検出サブフィールドと、列方向に長い第２の発光線を行方向に走査するｘ座標検出サブフィールドと、を含む複数のサブフィールドで１フィールド期間を構成し、
前記第１の発光線の走査する向きは、奇数行目の部分画像表示装置と偶数行目の部分画像表示装置とで互いに逆向きであり、
前記第２の発光線の走査する向きは、奇数列目の部分画像表示装置と偶数列目の部分画像表示装置とで互いに逆向きである
ことを特徴とするマルチ画面表示装置。
【請求項２】
前記部分画像表示装置のそれぞれは、
行方向に延びた複数の走査電極および維持電極と列方向に延びた複数のデータ電極とを有するプラズマディスプレイパネルと、
画像を表示するための画像表示サブフィールドと、前記走査電極および前記維持電極に表示装置識別パルスを交互に印加する表示装置識別サブフィールドと、前記データ電極にｙ座標検出電圧を印加したまま前記走査電極にｙ座標検出パルスを順次印加するｙ座標検出サブフィールドと、前記走査電極にｘ座標検出電圧を印加したまま前記データ電極にｘ座標検出パルスを順次印加するｘ座標検出サブフィールドと、を含む複数のサブフィールドで１フィールド期間を構成して前記プラズマディスプレイパネルを駆動する駆動回路と、を備えたプラズマディスプレイ装置であることを特徴とする請求項１に記載のマルチ画面表示装置。
【請求項３】
請求項１に記載のマルチ画面表示装置と、前記マルチ画面表示装置の発光を受光して画像表示面上の１点のｙ座標およびｘ座標を出力するライトペンと、前記ｙ座標および前記ｘ座標に基づき画像信号を作成する描画装置と、を備えたことを特徴とするマルチ画面表示システム。
【発明の詳細な説明】
【技術分野】
【０００１】
本発明は、大画面のマルチ画面表示装置、およびそれにライトペンを用いて描画可能なマルチ画面表示システムに関する。
【背景技術】
【０００２】
表示装置として代表的なプラズマディスプレイパネルは、２枚のガラス基板の間に多数の放電セルが形成され、放電セル内でガス放電を発生させて、赤色、緑色および青色の各色の蛍光体を励起発光させてカラー表示を行う。プラズマディスプレイパネルを駆動する方法としては、１フィールド期間を複数のサブフィールドで構成し、発光させるサブフィールドの組み合わせによって階調表示を行うサブフィールド法が一般的である。
【０００３】
近年は、このようなプラズマディスプレイパネルを用いて、黒板やホワイトボードのように画像表示面上から文字や絵などを描画できる電子黒板が検討されている。例えば特許文献１には、ライトペンの使用時にのみ１フィールド中に座標検出期間を設け、座標検出用の発光を検出するタイミングに基づき、ライトペンの指し示す座標を求めるプラズマディスプレイ装置が記載されている。
【０００４】
一方で、画像表示装置を複数配列して構成した大画面のマルチ画面表示装置が知られている。例えば特許文献２には、複数のプラズマディスプレイ装置を用いてマルチ画面表示装置を形成し、その中の１つにのみ解像度変換回路を有するマルチ画面表示装置が記載されている。
【先行技術文献】
【特許文献】
【０００５】
【特許文献１】特開２００１−３１８７６５号公報
【特許文献２】特開２００１−１１７５４４号公報
【発明の概要】
【発明が解決しようとする課題】
【０００６】
これらの技術を組み合わせることにより、複数の画像表示装置（以下、「部分画像表示装置」と呼称する）を配列して構成した大画面のマルチ画面表示装置を用いて、画像表示面上から文字や絵などを描画できる大画面の電子黒板を構成することができる。
【０００７】
しかしながら、マルチ画面表示装置の画像表示面の発光をライトペンで受光すると、部分画像表示装置の画像表示面（以下、「部分画像表示面」と呼称する）の境界付近では、1フィールド期間内に複数の部分画像表示装置の発光を受光するといったことが発生する。そしてこのような場合にはライトペンの指し示す座標を正確に検出することが難しいといった課題があった。
【０００８】
本発明は上記課題に鑑みなされたものであり、複数の部分画像表示装置を配列して大画面のマルチ画面表示装置を構成し、かつ部分画像表示面の境界付近であっても大きな誤差を含むことなくライトペンの指し示す座標を検出することができるマルチ画面表示装置、およびマルチ画面表示システムを提供することを目的とする。
【課題を解決するための手段】
【０００９】
上記目的を達成するために本発明は、複数の部分画像表示装置をＮ行Ｍ列（Ｎ、Ｍの少なくとも一方は２以上）の行列状に配列して１つの画像表示面を構成するマルチ画面表示装置であって、部分画像表示装置のそれぞれは、画像を表示するための画像表示サブフィールドと、部分画像表示装置を識別する表示装置識別サブフィールドと、行方向に長い第１の発光線を列方向に走査するｙ座標検出サブフィールドと、列方向に長い第２の発光線を行方向に走査するｘ座標検出サブフィールドと、を含む複数のサブフィールドで１フィールド期間を構成し、第１の発光線の走査する向きは、奇数行目の部分画像表示装置と偶数行目の部分画像表示装置とで互いに逆向きであり、第２の発光線の走査する向きは、奇数列目の部分画像表示装置と偶数列目の部分画像表示装置とで互いに逆向きであることを特徴とする。この構成により、複数の部分画像表示装置を配列して大画面のマルチ画面表示装置を構成し、かつ部分画像表示面の境界付近であっても大きな誤差を含むことなくライトペンの指し示す座標を検出することができるマルチ画面表示装置を提供することができる。
【００１０】
また本発明のマルチ画面表示装置の部分画像表示装置のそれぞれは、行方向に延びた複数の走査電極および維持電極と列方向に延びた複数のデータ電極とを有するプラズマディスプレイパネルと、画像を表示するための画像表示サブフィールドと走査電極および維持電極に表示装置識別パルスを交互に印加する表示装置識別サブフィールドとデータ電極にｙ座標検出電圧を印加したまま走査電極にｙ座標検出パルスを順次印加するｙ座標検出サブフィールドと走査電極にｘ座標検出電圧を印加したままデータ電極にｘ座標検出パルスを順次印加するｘ座標検出サブフィールドとを含む複数のサブフィールドで１フィールド期間を構成してプラズマディスプレイパネルを駆動する駆動回路と、を備えたプラズマディスプレイ装置であってもよい。
【００１１】
また本発明のマルチ画面表示システムは、上記に記載のマルチ画面表示装置と、マルチ画面表示装置の発光を受光して画像表示面上の１点のｙ座標およびｘ座標を出力するライトペンと、ｙ座標およびｘ座標に基づき画像信号を作成する描画装置と、を備えたことを特徴とする。この構成により、複数の部分画像表示装置を配列して大画面のマルチ画面表示装置を構成し、かつ部分画像表示面の境界付近であっても大きな誤差を含むことなくライトペンの指し示す座標を検出することができるマルチ画面表示システムを提供することができる。
【発明の効果】
【００１２】
本発明によれば、複数の部分画像表示装置を配列して大画面のマルチ画面表示装置を構成し、かつ部分画像表示面の境界付近であっても大きな誤差を含むことなくライトペンの指し示す座標を検出することができるマルチ画面表示装置、およびマルチ画面表示システムを提供することが可能となる。
【図面の簡単な説明】
【００１３】
【図１】本発明の実施の形態におけるマルチ画面表示システムの概要を示す模式図である。
【図２】同システムに用いるパネルの分解斜視図である。
【図３】同システムに用いるパネルの電極配列図である。
【図４】同システムの部分画像表示装置の駆動電圧波形図である。
【図５】同システムの部分画像表示装置の駆動電圧波形図である。
【図６】同システムの部分画像表示装置の駆動電圧波形図である。
【図７】同システムの部分画像表示装置の駆動電圧波形図である。
【図８】同システムの部分画像表示装置の駆動電圧波形図である。
【図９】同システムの回路ブロック図である。
【図１０】同システムの部分画像表示装置の回路ブロック図である。
【図１１】同システムの座標検出サブフィールドのタイミングチャートである。
【図１２】同システムの位置座標検出方法を説明する模式図である。
【図１３】同システムの描画の一例を示す模式図である。
【発明を実施するための形態】
【００１４】
本発明の実施の形態におけるマルチ画面表示システムについて、プラズマディスプレイパネル（以下、「パネル」と略記する）を用いた例を、図面を用いて以下に説明する。
【００１５】
（実施の形態）
図１は、本発明の実施の形態におけるマルチ画面表示システムの概要を示す模式図である。マルチ画面表示システムは、大型のマルチ画面表示装置３０に画像を表示するとともに、使用者がライトペン５０を用いて画像表示面上に自由に描画することができるマルチ画面表示システムである。ライトペン５０は複数用いることができ、図１には、３人の使用者のそれぞれがライトペン５０を用いて同時に描画している様子を示している。
【００１６】
マルチ画面表示装置３０は、複数の部分画像表示装置をＮ行Ｍ列（Ｎ、Ｍの少なくとも一方は２以上）の行列状に配列して１つの画像表示面を構成している。本実施の形態においては、４台の部分画像表示装置３０Ａ、３０Ｂ、３０Ｃ、３０Ｄを２行２列の行列状に配列して、１つの画像表示面を構成している。まず部分画像表示装置３０Ａ〜３０Ｄに用いられるパネルおよびその駆動方法について説明する。
【００１７】
図２は、本発明の実施の形態におけるマルチ画面表示システムに用いるパネル１０の分解斜視図である。ガラス製の前面基板１１上には、走査電極１２と維持電極１３とが平行に複数形成され、それらを覆うように誘電体層１５および保護層１６が形成されている。背面基板２１上にはデータ電極２２が複数形成され、その上に誘電体層２３および井桁状の隔壁２４が形成されている。そして隔壁２４の側面および誘電体層２３上には赤色、緑色および青色の各色に発光する蛍光体層２５が設けられている。
【００１８】
これら前面基板１１と背面基板２１とは対向配置して封着され、内部の放電空間には放電ガスが封入されている。放電空間は隔壁２４によって複数の区画に仕切られており、走査電極１２および維持電極１３とデータ電極２２とが交差する部分に放電セルが形成されている。そしてこれらの放電セルが放電、発光することにより画像が表示される。
【００１９】
図３は、本発明の実施の形態におけるマルチ画面表示システムに用いるパネル１０の電極配列図である。パネル１０には、行方向に延びたｎ本の走査電極ＳＣ１〜ＳＣｎ（図１の走査電極１２）およびｎ本の維持電極ＳＵ１〜ＳＵｎ（図１の維持電極１３）が配列され、列方向に延びたｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。ここで隣接する３本のデータ電極と１対の表示電極対との交差する部分に形成される３個の放電セルは、赤のピクセル、緑のピクセル、青のピクセルである。そして赤のピクセル、緑のピクセル、青のピクセルが一組で１つの画素を構成する。したがって、例えばパネル１０が１０８０×１９２０の画素をもつ高精細度パネルであれば、ｎ＝１０８０、ｍ＝１９２０×３＝５７６０である。
【００２０】
このようなパネル１０を駆動するために、部分画像表示装置３０Ａ〜３０Ｄのそれぞれは、画像を表示するための画像表示サブフィールドと、座標を検出するための座標検出サブフィールドとで１フィールド期間を構成する。
【００２１】
まず画像表示サブフィールドについて説明する。部分画像表示装置３０Ａ〜３０Ｄそれぞれの画像表示サブフィールドは、あらかじめ定められた輝度重みを持つ複数のサブフィールドで構成され、それぞれの画像表示サブフィールドの発光・非発光を放電セル毎に制御することにより画像を表示する。
【００２２】
本実施の形態において画像表示サブフィールドは、初期化期間と書込み期間と維持期間とを有する８個のサブフィールドＳＦ１〜ＳＦ８であり、サブフィールドＳＦ１〜ＳＦ８それぞれの輝度重みは、例えば（１、３４、２１、１３、８、５、３、２）である。しかしサブフィールド数、輝度重み等のサブフィールド構成は、上記に限定されるものではない。
【００２３】
画像表示サブフィールドにおいて、マルチ画面表示装置３０を構成する４台の部分画像表示装置３０Ａ〜３０Ｄの駆動電圧波形は、表示画像に依存する書込みパルスを除き、互いに等しい。そのため以下では、画像表示サブフィールドの駆動電圧波形の詳細について、部分画像表示装置３０Ａ〜３０Ｄのそれぞれを区別せずに説明する。
【００２４】
図４は、本発明の実施の形態におけるマルチ画面表示システムの部分画像表示装置３０Ａ〜３０Ｄの駆動電圧波形図であり、画像表示サブフィールドのうちのサブフィールドＳＦ１〜ＳＦ３においてパネル１０の各電極に印加する駆動電圧波形を示している。
【００２５】
サブフィールドＳＦ１の初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次に維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。なお、微弱な初期化放電にともなう発光の輝度は非常に低い。
【００２６】
続く書込み期間Ｐｗでは、維持電極ＳＵ１〜ＳＵｎに電圧Ｖｅを印加したまま走査電極ＳＣ１〜ＳＣｎのそれぞれに電圧Ｖｃを印加する。
【００２７】
次に、１行目の走査電極ＳＣ１に電圧Ｖａの走査パルスを印加するとともに、データ電極Ｄ１〜Ｄｍのうち１行目に発光させるべき放電セルのデータ電極Ｄｋ（ｋ＝１〜ｍ）に電圧Ｖｄの書込みパルスを印加する。すると書込みパルスを印加した放電セルで書込み放電が発生し、走査電極ＳＣ１上および維持電極ＳＵ１上に所定の壁電圧が蓄積される。一方、書込みパルスを印加しなかった放電セルでは書込み放電は発生しない。次に、２行目の走査電極ＳＣ２に走査パルスを印加するとともに、データ電極Ｄ１〜Ｄｍのうち２行目に発光させるべき放電セルのデータ電極Ｄｋに書込みパルスを印加する。すると書込みパルスを印加した放電セルで書込み放電が発生し、走査電極ＳＣ２上および維持電極ＳＵ２上に所定の壁電圧が蓄積される。
【００２８】
以下同様に、走査電極ＳＣ３〜ＳＣｎに走査パルスを順次印加するとともに発光させるべき放電セルのデータ電極Ｄｋに書込みパルスを印加して、３行目〜ｎ行目に発光させるべき放電セルで書込み放電を順次発生させる。なおこのとき発生する書込み放電は、後述する維持放電に比較するとやや弱い放電であり、放電にともなう発光の輝度もやや低い。
【００２９】
続く維持期間Ｐｓでは、走査電極ＳＣ１〜ＳＣｎに電圧Ｖｓの維持パルスを印加し、維持電極ＳＵ１〜ＳＵｎに電圧０（Ｖ）を印加する。すると書込み放電を起こした放電セルでは維持放電が発生して蛍光体層２５が発光する。そして走査電極ＳＣｉ上の壁電圧および維持電極ＳＵｉ上の壁電圧の極性が反転する。一方、書込み放電を起こさなかった放電セルでは維持放電は発生しない。続いて走査電極ＳＣ１〜ＳＣｎに電圧０（Ｖ）を印加し、維持電極ＳＵ１〜ＳＵｎに維持パルスを印加する。すると維持放電を起こした放電セルでは再び維持放電が発生して蛍光体層２５が発光する。以下同様に輝度重みに応じた数の維持パルスを走査電極ＳＣ１〜ＳＣｎと維持電極ＳＵ１〜ＳＵｎとに交互に印加し、書込み放電を起こした放電セルで維持放電を継続して発生させる。なおこのとき発生する維持放電は強い放電であり、放電にともなう発光の輝度も高い。
【００３０】
そして維持期間Ｐｓの最後に、電圧０（Ｖ）から電圧Ｖｒまで上昇する上り傾斜電圧を走査電極ＳＣ１〜ＳＣｎに印加する。すると、維持放電を発生した放電セルで微弱な消去放電が発生して、走査電極ＳＣｉ上および維持電極ＳＵｉ上の壁電圧を弱める。
【００３１】
サブフィールドＳＦ２の初期化期間Ｐｉでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると、直前のサブフィールドＳＦ１で維持放電を起こした放電セルでは微弱な初期化放電が発生し、走査電極ＳＣｉ上の壁電圧および維持電極ＳＵｉ上の壁電圧が弱められ、データ電極Ｄｋ上の壁電圧は書込み動作に適した値に調整される。
【００３２】
サブフィールドＳＦ２の書込み期間Ｐｗの動作はサブフィールドＳＦ１の書込み期間Ｐｗの動作と同様であるため説明を省略する。続く維持期間Ｐｓの動作も維持パルスの数を除いてサブフィールドＳＦ１の維持期間Ｐｓの動作と同様である。サブフィールドＳＦ３〜ＳＦ８の動作も維持パルスの数を除いてサブフィールドＳＦ２の動作と同様である。
【００３３】
以上により画像表示サブフィールドが終了する。
【００３４】
次に座標検出サブフィールドについて説明する。座標検出サブフィールドは、表示装置識別サブフィールドＳＦｏと、ｙ座標検出サブフィールドＳＦｙと、ｘ座標検出サブフィールドＳＦｘとを有する。表示装置識別サブフィールドＳＦｏは受光している部分画像表示装置を特定するとともにｙ座標検出サブフィールドおよびｘ座標検出サブフィールドと同期をとるための発光を発生するサブフィールドであり、初期化期間Ｐｉと書込み期間Ｐｗと表示装置識別期間Ｐｏとを有する。ｙ座標検出サブフィールドＳＦｙはライトペンが指し示す画像表示面上のｙ座標を検出するための発光を発生するサブフィールドであり、初期化期間Ｐｉとｙ座標検出期間Ｐｙとを有する。ｘ座標検出サブフィールドＳＦｘはライトペンが指し示す画像表示面上のｘ座標を検出するための発光を発生するサブフィールドであり、初期化期間Ｐｉとｘ座標検出期間Ｐｘとを有する。
【００３５】
座標検出サブフィールドにおいては、マルチ画面表示装置３０を構成する４台の部分画像表示装置３０Ａ〜３０Ｄの駆動電圧波形は互いに異なる。以下では、部分画像表示装置３０Ａ〜３０Ｄのそれぞれの駆動電圧波形について詳細に説明する。
【００３６】
図５は、本発明の実施の形態におけるマルチ画面表示システムの左上に配置された部分画像表示装置３０Ａの駆動電圧波形図であり、座標検出サブフィールドのそれぞれにおいてパネル１０の各電極に印加する駆動電圧波形を示している。
【００３７】
表示装置識別サブフィールドＳＦｏの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次に維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。
【００３８】
続く書込み期間Ｐｗでは、維持電極ＳＵ１〜ＳＵｎに電圧Ｖｅを印加したまま走査電極ＳＣ１〜ＳＣｎのそれぞれに電圧Ｖｃを印加する。その後、データ電極Ｄ１〜Ｄｍに書込みパルスを印加するとともに走査電極ＳＣ１〜ＳＣｎに走査パルスを印加して、全ての放電セルで書込み放電を発生させる。
【００３９】
続く表示装置識別期間Ｐｏでは、最後の書込み放電を発生させた時刻ｔ０から所定の時間Ｔ０経過後の時刻ｔＡ１において、走査電極ＳＣ１〜ＳＣｎに電圧Ｖｓｏの表示装置識別パルスを印加するとともに維持電極ＳＵ１〜ＳＵｎに電圧０（Ｖ）を印加して、全ての放電セルで表示装置識別放電を発生させる。次に、時刻ｔＡ１から時間ＴＡ１経過後の時刻ｔＡ２において、走査電極ＳＣ１〜ＳＣｎに電圧０（Ｖ）を印加するとともに維持電極ＳＵ１〜ＳＵｎに表示装置識別パルスを印加して、再び表示装置識別放電を発生させる。次に、時刻ｔＡ２から時間ＴＡ２経過後の時刻ｔＡ３において、走査電極ＳＣ１〜ＳＣｎに表示装置識別パルスを印加するとともに維持電極ＳＵ１〜ＳＵｎに電圧０（Ｖ）を印加して、３回目の表示装置識別放電を発生させる。続いて時刻ｔＡ３から時間ＴＡ３経過後の時刻ｔＡ４において、走査電極ＳＣ１〜ＳＣｎに電圧０（Ｖ）を印加するとともに維持電極ＳＵ１〜ＳＵｎに表示装置識別パルスを印加して、４回目の表示装置識別放電を発生させる。
【００４０】
ここで、時間ＴＡ１、時間ＴＡ２、時間ＴＡ３は部分画像表示装置３０Ａに対してあらかじめ定められた時間間隔であり、後述するように、時間ＴＡ１、時間ＴＡ２、時間ＴＡ３の間隔で発生する４回の表示装置識別放電を検出して、部分画像表示装置３０Ａ〜３０Ｄのいずれの発光を受光したかを特定するとともに後述する座標基準信号を作成する。本実施の形態において、時間Ｔ０、時間ＴＡ１、時間ＴＡ２、時間ＴＡ３は、例えばそれぞれ６０μｓ、５０μｓ、２０μｓ、３０μｓである。なおこのとき発生する表示装置識別放電は、維持放電と同様の強い放電であり、この放電にともなう発光の輝度も高い。
【００４１】
表示装置識別期間Ｐｏの最後に、走査電極ＳＣ１〜ＳＣｎに電圧０（Ｖ）から電圧Ｖｒまで上昇する上り傾斜電圧を印加して微弱な消去放電を発生させる。
【００４２】
ｙ座標検出サブフィールドＳＦｙの初期化期間Ｐｉでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると全ての放電セルで微弱な初期化放電が発生し、走査電極ＳＣ１〜ＳＣｎ上および維持電極ＳＵ１〜ＳＵｎ上の壁電圧が弱められ、データ電極Ｄ１〜Ｄｍ上の壁電圧はｙ座標検出のための放電に適した値に調整される。
【００４３】
続くｙ座標検出期間Ｐｙでは、維持電極ＳＵ１〜ＳＵｎに電圧Ｖｅを印加したまま走査電極ＳＣ１〜ＳＣｎのそれぞれに電圧Ｖｃを印加する。
【００４４】
次に、データ電極Ｄ１〜Ｄｍにｙ座標検出電圧Ｖｄｙを印加する。そして、１行目の走査電極ＳＣ１に電圧Ｖａｙのｙ座標検出パルスを印加する。すると１行目の放電セルでｙ座標検出のための放電が発生する。こうして１行目の画素行、すなわち１行目の放電セルで構成される１行目の放電セル行を発光させる。
【００４５】
次に、データ電極Ｄ１〜Ｄｍにｙ座標検出電圧Ｖｄｙを印加したまま、２行目の走査電極ＳＣ２にｙ座標検出パルスを印加する。すると２行目の画素行、すなわち２行目の放電セル行が発光する。
【００４６】
以下同様に、データ電極Ｄ１〜Ｄｍにｙ座標検出電圧Ｖｄｙを印加したまま走査電極ＳＣ３、走査電極ＳＣ４、走査電極ＳＣ５、・・・、ＳＣｎに、この順序でｙ座標検出パルスを印加して、３行目、４行目、５行目、・・・、ｎ行目の放電セル行をこの順序で発光させる。こうしてｙ座標検出期間Ｐｙでは、部分画像表示面の上端部から下端部に向かって走査する第１の発光線（１本の横線）が表示される。
【００４７】
ここでｙ座標検出パルスを印加する時間Ｔｙ１は、例えば１μｓである。なおこのとき発生する放電は、書込み放電に順ずるやや弱い放電であり、放電にともなう発光の輝度もやや低い。
【００４８】
ｘ座標検出サブフィールドＳＦｘの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次に維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧はｘ座標検出のための放電に適した値に調整される。
【００４９】
続くｘ座標検出期間Ｐｘでは、維持電極ＳＵ１〜ＳＵｎに電圧Ｖｅを印加したまま走査電極ＳＣ１〜ＳＣｎのそれぞれに電圧Ｖｃを印加する。
【００５０】
次に、走査電極ＳＣ１〜ＳＣｎにｘ座標検出電圧Ｖａｘを印加する。そして１つの画素、すなわち赤のピクセル、緑のピクセル、青のピクセルに対応する１列目〜３列目のデータ電極Ｄ１〜Ｄ３に電圧Ｖｄｘのｘ座標検出パルスを印加する。すると１列目〜３列目の放電セルでｘ座標検出のための放電が発生する。こうして１列目の画素列、すなわち１列目の放電セルで構成される１列目の放電セル列と２列目の放電セルで構成される２列目の放電セル列と３列目の放電セルで構成される３列目の放電セル列とを発光させる。
【００５１】
次に、走査電極ＳＣ１〜ＳＣｎにｘ座標検出電圧Ｖａｘを印加したまま、４列目〜６列目のデータ電極Ｄ４〜Ｄ６にｘ座標検出パルスを印加する。するとデータ電極Ｄ４〜Ｄ６と走査電極ＳＣ１〜ＳＣｎとの間および維持電極ＳＵ１〜ＳＵｎと走査電極ＳＣ１〜ＳＣｎとの間にｘ座標検出のための放電が発生し、２列目の画素列、すなわち４列目〜６列目の放電セル列が発光する。
【００５２】
以下同様に、走査電極ＳＣ１〜ＳＣｎにｘ座標検出電圧Ｖａｘを印加したまま、データ電極Ｄ７〜Ｄ９、データ電極Ｄ１０〜Ｄ１２、データ電極Ｄ１３〜Ｄ１５、・・・、データ電極Ｄ（ｍ−２）〜Ｄｍに、この順序でｘ座標検出パルスを印加して、７列目〜９列目、１０列目〜１２列目、１３列目〜１５列目、・・・、（ｍ−２）列目〜ｍ列目の放電セル列をこの順序で発光させる。こうしてｘ座標検出期間Ｐｘでは、部分画像表示面の左端部から右端部に向かって走査する第２の発光線（１本の縦線）が表示される。
【００５３】
ここでｘ座標検出パルスを印加する時間Ｔｘ１は、例えば１μｓである。なおこのとき発生する放電も、書込み放電に順ずるやや弱い放電であり、放電にともなう発光の輝度もやや低い。
【００５４】
以上により座標検出サブフィールドが終了する。
【００５５】
図６は、本発明の実施の形態におけるマルチ画面表示システムの右上に配置された部分画像表示装置３０Ｂの駆動電圧波形図であり、座標検出サブフィールドのそれぞれにおいてパネル１０の各電極に印加する駆動電圧波形を示している。
【００５６】
表示装置識別サブフィールドＳＦｏの初期化期間Ｐｉおよび書込み期間Ｐｗ、ｙ座標検出サブフィールドＳＦｙの初期化期間Ｐｉ、ｘ座標検出サブフィールドＳＦｘの初期化期間Ｐｉのそれぞれにおける駆動電圧波形は図５に示した部分画像表示装置３０Ａの駆動電圧波形と同じであるので、説明を省略する。
【００５７】
表示装置識別期間Ｐｏでも、走査電極ＳＣ１〜ＳＣｎおよび維持電極ＳＵ１〜ＳＵｎに交互に電圧Ｖｓｏの表示装置識別パルスを印加して、全ての放電セルで４回の表示装置識別放電を発生させる。しかし表示装置識別放電を発生させる時間間隔は、部分画像表示装置３０Ｂに対してあらかじめ定められた時間ＴＢ１、ＴＢ２、ＴＢ３であり、本実施の形態において、時間Ｔ０、時間ＴＢ１、時間ＴＢ２、時間ＴＢ３は、それぞれ６０μｓ、４０μｓ、３０μｓ、３０μｓである。
【００５８】
ｙ座標検出サブフィールドＳＦｙのｙ座標検出期間Ｐｙにおける駆動電圧波形は、左上に配置された部分画像表示装置３０Ａの駆動電圧波形と同じである。すなわち、データ電極Ｄ１〜Ｄｍにｙ座標検出電圧Ｖｄｙを印加したまま走査電極ＳＣ１、走査電極ＳＣ２、走査電極ＳＣ３、走査電極ＳＣ４、走査電極ＳＣ５、・・・、ＳＣｎに、この順序でｙ座標検出パルスを印加して、１行目、２行目、３行目、４行目、５行目、・・・、ｎ行目の放電セル行をこの順序で発光させる。こうして部分画像表示面の上端部から下端部に向かって走査する第１の発光線（１本の横線）を表示する。
【００５９】
ｘ座標検出サブフィールドＳＦｘのｘ座標検出期間Ｐｘでは、維持電極ＳＵ１〜ＳＵｎに電圧Ｖｅを印加したまま走査電極ＳＣ１〜ＳＣｎのそれぞれに電圧Ｖｃを印加する。
【００６０】
次に、走査電極ＳＣ１〜ＳＣｎにｘ座標検出電圧Ｖａｘを印加する。そして１つの画素に対応するｍ列目〜（ｍ−２）列目のデータ電極Ｄｍ〜Ｄ（ｍ−２）に電圧Ｖｄｘのｘ座標検出パルスを印加する。するとｍ列目〜（ｍ−２）列目の放電セルでｘ座標検出のための放電が発生する。こうしてｍ／３列目の画素列、すなわちｍ列目の放電セルで構成されるｍ列目の放電セル列と（ｍ−１）列目の放電セルで構成される（ｍ−１）列目の放電セル列と（ｍ−２）列目の放電セルで構成される（ｍ−２）列目の放電セル列とを発光させる。
【００６１】
次に、走査電極ＳＣ１〜ＳＣｎにｘ座標検出電圧Ｖａｘを印加したまま、（ｍ−３）列目〜（ｍ−５）列目のデータ電極Ｄ（ｍ−３）〜Ｄ（ｍ−５）にｘ座標検出パルスを印加する。すると（ｍ−３）／３列目の画素列、すなわち（ｍ−３）列目〜（ｍ−５）列目の放電セル列が発光する。
【００６２】
以下同様に、走査電極ＳＣ１〜ＳＣｎにｘ座標検出電圧Ｖａｘを印加したまま、データ電極Ｄ（ｍ−６）〜Ｄ（ｍ−８）、データ電極Ｄ（ｍ−９）〜Ｄ（ｍ−１１）、データ電極Ｄ（ｍ−１２）〜Ｄ（ｍ−１４）、・・・、データ電極Ｄ３〜Ｄ１に、この順序でｘ座標検出パルスを印加して、（ｍ−６）列目〜（ｍ−８）列目、（ｍ−９）列目〜（ｍ−１１）列目、（ｍ−１２）列目〜（ｍ−１４）列目、・・・、３列目〜１列目の放電セル列をこの順序で発光させる。こうしてｘ座標検出期間Ｐｘでは、部分画像表示面の右端部から左端部に向かって走査する第２の発光線（１本の縦線）を表示する。
【００６３】
以上により座標検出サブフィールドが終了する。
【００６４】
図７は、本発明の実施の形態におけるマルチ画面表示システムの左下に配置された部分画像表示装置３０Ｃの駆動電圧波形図であり、座標検出サブフィールドのそれぞれにおいてパネル１０の各電極に印加する駆動電圧波形を示している。
【００６５】
表示装置識別サブフィールドＳＦｏの初期化期間Ｐｉおよび書込み期間Ｐｗ、ｙ座標検出サブフィールドＳＦｙの初期化期間Ｐｉ、ｘ座標検出サブフィールドＳＦｘの初期化期間Ｐｉのそれぞれにおける駆動電圧波形は図５に示した部分画像表示装置３０Ａの駆動電圧波形と同じであるので、説明を省略する。
【００６６】
表示装置識別期間Ｐｏでも、走査電極ＳＣ１〜ＳＣｎおよび維持電極ＳＵ１〜ＳＵｎに交互に電圧Ｖｓｏの表示装置識別パルスを印加して、全ての放電セルで４回の表示装置識別放電を発生させる。しかし表示装置識別放電を発生させる時間間隔は、部分画像表示装置３０Ｃに対してあらかじめ定められた時間時間ＴＣ１、時間ＴＣ２、ＴＣ３であり、本実施の形態において、時間Ｔ０、時間ＴＣ１、時間ＴＣ２、時間ＴＣ３は、それぞれ６０μｓ、３０μｓ、４０μｓ、３０μｓである。
【００６７】
ｙ座標検出サブフィールドＳＦｙのｙ座標検出期間Ｐｙでは、維持電極ＳＵ１〜ＳＵｎに電圧Ｖｅを印加したまま走査電極ＳＣ１〜ＳＣｎのそれぞれに電圧Ｖｃを印加する。
【００６８】
次に、データ電極Ｄ１〜Ｄｍにｙ座標検出電圧Ｖｄｙを印加する。そして、ｎ行目の走査電極ＳＣｎに電圧Ｖａｙのｙ座標検出パルスを印加する。するとｎ行目の放電セルでｙ座標検出のための放電が発生する。こうしてｎ行目の画素行、すなわちｎ行目の放電セルで構成されるｎ行目の放電セル行を発光させる。
【００６９】
次に、データ電極Ｄ１〜Ｄｍにｙ座標検出電圧Ｖｄｙを印加したまま、（ｎ−１）行目の走査電極ＳＣ（ｎ−１）にｙ座標検出パルスを印加する。すると（ｎ−１）行目の画素行、すなわち（ｎ−１）行目の放電セル行が発光する。
【００７０】
以下同様に、データ電極Ｄ１〜Ｄｍにｙ座標検出電圧Ｖｄｙを印加したまま走査電極ＳＣ（ｎ−２）、走査電極ＳＣ（ｎ−３）、走査電極ＳＣ（ｎ−４）、・・・、ＳＣ１に、この順序でｙ座標検出パルスを印加して、（ｎ−２）行目、（ｎ−３）行目、（ｎ−４）行目、・・・、１行目の放電セル行をこの順序で発光させる。こうしてｙ座標検出期間Ｐｙでは、部分画像表示面の下端部から上端部に向かって走査する第１の発光線（１本の横線）を表示する。
【００７１】
ｘ座標検出サブフィールドＳＦｘのｘ座標検出期間Ｐｘにおける駆動電圧波形は、左上に配置された部分画像表示装置３０Ａの駆動電圧波形と同じである。すなわち、走査電極ＳＣ１〜ＳＣｎにｘ座標検出電圧Ｖａｘを印加したまま、データ電極Ｄ１〜Ｄ３、データ電極Ｄ３〜Ｄ６、データ電極Ｄ７〜Ｄ９、データ電極Ｄ１０〜Ｄ１２、データ電極Ｄ１３〜Ｄ１５、・・・、データ電極Ｄ（ｍ−２）〜Ｄｍに、この順序でｘ座標検出パルスを印加して、１列目〜３列目、４列目〜６列目、７列目〜９列目、１０列目〜１２列目、１３列目〜１５列目、・・・、（ｍ−２）列目〜ｍ列目の放電セル列をこの順序で発光させる。こうしてｘ座標検出期間Ｐｘでは、部分画像表示面の左端部から右端部に向かって走査する第２の発光線（１本の縦線）を表示する。
【００７２】
以上により座標検出サブフィールドが終了する。
【００７３】
図８は、本発明の実施の形態におけるマルチ画面表示システムの右下に配置された部分画像表示装置３０Ｄの駆動電圧波形図であり、座標検出サブフィールドのそれぞれにおいてパネル１０の各電極に印加する駆動電圧波形を示している。
【００７４】
表示装置識別サブフィールドＳＦｏの初期化期間Ｐｉおよび書込み期間Ｐｗ、ｙ座標検出サブフィールドＳＦｙの初期化期間Ｐｉ、ｘ座標検出サブフィールドＳＦｘの初期化期間Ｐｉのそれぞれにおける駆動電圧波形は図５に示した部分画像表示装置３０Ａの駆動電圧波形と同じであるので、説明を省略する。
【００７５】
表示装置識別期間Ｐｏでも、走査電極ＳＣ１〜ＳＣｎおよび維持電極ＳＵ１〜ＳＵｎに交互に電圧Ｖｓｏの表示装置識別パルスを印加して、全ての放電セルで４回の表示装置識別放電を発生させる。しかし表示装置識別放電を発生させる時間間隔は、部分画像表示装置３０Ｄに対してあらかじめ定められた時間時間ＴＤ１、ＴＤ２、ＴＤ３であり、本実施の形態において、時間Ｔ０、時間ＴＤ１、時間ＴＤ２、時間ＴＤ３は、それぞれ６０μｓ、２０μｓ、５０μｓ、３０μｓである。
【００７６】
ｙ座標検出サブフィールドＳＦｙのｙ座標検出期間Ｐｙにおける駆動電圧波形は、左下に配置された部分画像表示装置３０Ｃの駆動電圧波形と同じである。すなわち、データ電極Ｄ１〜Ｄｍにｙ座標検出電圧Ｖｄｙを印加したまま走査電極ＳＣｎ、走査電極ＳＣ（ｎ−１）、走査電極ＳＣ（ｎ−２）、走査電極ＳＣ（ｎ−３）、走査電極ＳＣ（ｎ−４）、・・・、ＳＣ１に、この順序でｙ座標検出パルスを印加して、ｎ行目、（ｎ−１）行目、（ｎ−２）行目、（ｎ−３）行目、（ｎ−４）行目、・・・、１行目の放電セル行をこの順序で発光させる。こうしてｙ座標検出期間Ｐｙでは、部分画像表示面の下端部から上端部に向かって走査する第１の発光線（１本の横線）を表示する。
【００７７】
ｘ座標検出サブフィールドＳＦｘのｘ座標検出期間Ｐｘにおける駆動電圧波形は、右上に配置された部分画像表示装置３０Ｂの駆動電圧波形と同じである。すなわち、走査電極ＳＣ１〜ＳＣｎにｘ座標検出電圧Ｖａｘを印加したまま、データ電極Ｄｍ〜Ｄ（ｍ−２）、データ電極Ｄ（ｍ−３）〜Ｄ（ｍ−５）、データ電極Ｄ（ｍ−６）〜Ｄ（ｍ−８）、データ電極Ｄ（ｍ−９）〜Ｄ（ｍ−１１）、データ電極Ｄ（ｍ−１２）〜Ｄ（ｍ−１４）、・・・、データ電極ｍ３〜Ｄ１に、この順序でｘ座標検出パルスを印加して、ｍ列目〜（ｍ−２）列目、（ｍ−３）列目〜（ｍ−５）列目、（ｍ−６）列目〜（ｍ−８）列目、（ｍ−９）列目〜（ｍ−１１）列目、（ｍ−１２）列目〜（ｍ−１４）列目、・・・、３列目〜１列目の放電セル列をこの順序で発光させる。こうしてｘ座標検出期間Ｐｘでは、部分画像表示面の右端部から左端部に向かって走査する第２の発光線（１本の縦線）を表示する。
【００７８】
以上により座標検出サブフィールドが終了する。
【００７９】
なお本実施の形態において各電極に印加する電圧値は、例えば、電圧Ｖｉ１＝１５０（Ｖ）、電圧Ｖｉ２＝３５０（Ｖ）、電圧Ｖｉ３＝２００（Ｖ）、電圧Ｖｉ４＝−１７５（Ｖ）、電圧Ｖａ＝電圧Ｖａｙ＝電圧Ｖａｘ＝−２００（Ｖ）、電圧Ｖｃ＝−５０（Ｖ）、電圧Ｖｓ＝電圧Ｖｓｏ＝２０５（Ｖ）、電圧Ｖｒ＝２０５（Ｖ）、電圧Ｖｅ＝１５５（Ｖ）、電圧Ｖｄ＝電圧Ｖｄｙ＝電圧Ｖｄｘ＝５５（Ｖ）である。ただしこれらの電圧値は一例を挙げたに過ぎない。また図３〜図８に示した駆動電圧波形も一例を挙げたに過ぎない。これらは、パネル１０の特性やプラズマディスプレイ装置の仕様等に合わせて、適宜最適な駆動電圧波形および電圧値に設定することが望ましい。
【００８０】
次に、マルチ画面表示システムの構成について説明する。図９は、本発明の実施の形態におけるマルチ画面表示システムの回路ブロック図であり、図１０は、本発明の実施の形態におけるマルチ画面表示システムの部分画像表示装置の回路ブロック図である。
【００８１】
マルチ画面表示システム１００は、マルチ画面表示装置３０と、描画装置４０と、ライトペン５０とを備える。ライトペン５０は複数本備えていてもよく、それぞれのライトペン５０を区別する場合には、ライトペン５０ａ、ライトペン５０ｂ、・・・等と記載する。
【００８２】
マルチ画面表示装置３０は、上述したように、４台の部分画像表示装置３０Ａ〜３０Ｄを２行２列の行列状に配列して、１つの画像表示面を構成している。部分画像表示装置３０Ａ〜３０Ｄのそれぞれは、画像を表示するための画像表示サブフィールドＳＦ１〜ＳＦ８と、部分画像表示装置３０Ａ〜３０Ｄを識別する表示装置識別サブフィールドＳＦｏと、行方向に長い第１の発光線を列方向に走査するｙ座標検出サブフィールドＳＦｙと、列方向に長い第２の発光線を行方向に走査するｘ座標検出サブフィールドＳＦｘと、を含む複数のサブフィールドで１フィールド期間を構成する。そして、第１の発光線の走査する向きは、奇数行目の部分画像表示装置３０Ａ、３０Ｂと偶数行目の部分画像表示装置３０Ｃ、３０Ｄとで互いに逆向きであり、第２の発光線の走査する向きは、奇数列目の部分画像表示装置３０Ａ、３０Ｃと偶数列目の部分画像表示装置３０Ｂ、３０Ｄとで互いに逆向きである。
【００８３】
そして部分画像表示装置３０Ａ〜３０Ｄのそれぞれは、パネル１０と、画像信号処理回路３１と、データ電極駆動回路３２と、走査電極駆動回路３３と、維持電極駆動回路３４と、タイミング発生回路３５と、各回路ブロックに必要な電源を供給する電源回路（図示せず）とを備えている。
【００８４】
画像信号処理回路３１は、入力した画像信号を、サブフィールド毎の発光・非発光を示す画像データに変換する。データ電極駆動回路３２は、画像データをデータ電極Ｄ１〜Ｄｍのそれぞれに対応する書込みパルスに変換し、データ電極Ｄ１〜Ｄｍのそれぞれに印加する。
【００８５】
タイミング発生回路３５は、水平および垂直の同期信号をもとにして各回路ブロックの動作を制御する各種のタイミング信号を発生し、それぞれの回路ブロックへ供給する。走査電極駆動回路３３はタイミング信号に基づいて走査電極ＳＣ１〜ＳＣｎのそれぞれに駆動電圧を印加し、維持電極駆動回路３４はタイミング信号に基づいて維持電極ＳＵ１〜ＳＵｎに駆動電圧を印加する。
【００８６】
ライトペン５０はパネル１０の画像表示面上から文字や絵などを入力するためのものであり、マルチ画面表示装置３０の発光を受光して、指し示す画像表示面上のｙ座標およびｘ座標を出力する。
【００８７】
ライトペン５０は、描画スイッチ５１と、受光素子５２と、タイミング検出部５４と、座標算出部５６と、送信部５９とを備えている。
【００８８】
描画スイッチ５１はライトペン５０の先端部に取付けられ、ライトペン５０が画像表示面に接触しているとオンになり、画像表示面から離れるとオフになる。受光素子５２は、パネル１０の発光を受光してタイミング検出部５４、座標算出部５６のそれぞれに受光信号を出力する。
【００８９】
図１１は、本発明の実施の形態におけるマルチ画面表示システム１００の座標検出サブフィールドのタイミングチャートであり、ライトペン５０が部分画像表示装置３０Ａの発光を受光した場合に、受光素子５２から出力される受光信号を示している。
【００９０】
タイミング検出部５４は、あらかじめ定められた所定の時間間隔で発生した発光を受光信号の中から検出することにより、表示装置識別サブフィールドＳＦｏの表示装置識別放電を特定する。具体的には、発光の間隔が順に、時間ＴＡ１、時間ＴＡ２、時間ＴＡ３となる４個の連続する発光、または時間ＴＢ１、時間ＴＢ２、時間ＴＢ３となる４個の連続する発光、または時間ＴＣ１、時間ＴＣ２、時間ＴＣ３となる４個の連続する発光、または時間ＴＤ１、時間ＴＤ２、時間ＴＤ３となる４個の連続する発光、を受光信号の中から探す。そして４個の連続する発光の時間間隔に基づき受光している部分画像表示装置を特定して座標算出部５６に出力する。さらに４個の連続する発光の１つ、例えば最初に発生した発光を基準とし、あらかじめ分かっている時間Ｔｏｙおよび時間Ｔｏｘに基づいて、時刻ｔｙ０と時刻ｔｘ０とに立上りを有する座標基準信号を作成し、座標算出部５６に出力する。
【００９１】
座標算出部５６は、時間の長さを計測するためのカウンタと、カウンタの出力に演算を施す演算回路とを備える。そしてライトペン５０が指し示す画像表示面上の座標を、座標基準信号と受光信号とに基づき算出する。
【００９２】
図１２は、本発明の実施の形態におけるマルチ画面表示システム１００の座標算出方法を説明する模式図である。
【００９３】
ｙ座標検出サブフィールドＳＦｙのｙ座標検出期間Ｐｙでは、奇数行目に配列された部分画像表示装置、本実施の形態においては部分画像表示装置３０Ａおよび部分画像表示装置３０Ｂの部分画像表示面の上端部から下端部まで移動する第１の発光線Ｌｙが表示されるとともに、偶数行目に配列された部分画像表示装置、本実施の形態においては部分画像表示装置３０Ｃおよび部分画像表示装置３０Ｄの部分画像表示面の下端部から上端部まで移動する第１の発光線Ｌｙが表示される。そしてライトペン５０が指し示す部分画像表示装置の画像表示面の座標（ｘ、ｙ）を第１の発光線Ｌｙが通過する時刻ｔｙｙにおいて、受光素子５２は横線Ｌｙの発光を受光する。そのため図１１に示したように、受光素子５２は時刻ｔｙｙで受光信号を出力する。
【００９４】
またｘ座標検出サブフィールドＳＦｘのｘ座標検出期間Ｐｘでは、奇数列目に配列された部分画像表示装置、本実施の形態においては部分画像表示装置３０Ａおよび部分画像表示装置３０Ｃの部分画像表示面の左端部から右端部まで移動する第２の発光線Ｌｘが表示されるとともに、偶数列目に配列された部分画像表示装置、本実施の形態においては部分画像表示装置３０Ｂおよび部分画像表示装置３０Ｄの部分画像表示面の部分画像表示装置それぞれの右端部から左端部まで移動する第２の発光線Ｌｘが表示される。そしてライトペン５０が指し示す部分画像表示装置の画像表示面の座標（ｘ、ｙ）を第２の発光線Ｌｘが通過する時刻ｔｘｘにおいて、受光素子５２は第２の発光線Ｌｘの発光を受光する。そのため図１１に示したように、受光素子５２は時刻ｔｘｘで受光信号を出力する。
【００９５】
座標算出部５６は、ｙ座標検出期間Ｐｙにおいて受光素子５２から出力される受光信号とタイミング検出部５４から出力される座標基準信号とにもとづき、時刻ｔｙ０から時刻ｔｙｙまでの時間Ｔｙｙを測定する。またｘ座標検出期間Ｐｘにおいて受光素子５２から出力される受光信号とタイミング発生回路３５から出力される座標基準信号とにもとづき、時刻ｔｘ０から時刻ｔｘｘまでの時間Ｔｘｘを測定する。そして座標算出部５６は、表示装置識別放電の時間間隔に基づき特定した部分画像表示装置の情報と、時間Ｔｙｙおよび時間Ｔｘｘとにもとづき、ライトペン５０が指し示すマルチ画面表示装置３０の画像表示面の座標（Ｘ、Ｙ）を求める。
【００９６】
送信部５９は、ライトペン５０のそれぞれに独立に付与されている識別番号ＩＤ、ライトペン５０の属性（例えば描画時の色、線の太さ、線種等）Ｓ０、描画スイッチ５１の状態Ｓ１、座標算出部５６の算出した座標（Ｘ、Ｙ）を、それぞれエンコードして描画装置４０に無線信号で送信する。
【００９７】
描画装置４０は、ｙ座標Ｙおよびｘ座標Ｘに基づき画像信号を作成する。この画像信号は、使用者が描画した画像を表示するためのものである。描画装置４０は、受信部４２と、描画部４４と、画像信号分配部４６とを備える。
【００９８】
受信部４２は、ライトペン５０から送られる無線信号をデコードして、ライトペン５０の識別番号ＩＤと属性Ｓ０と描画スイッチ５１の状態Ｓ１と座標（Ｘ、Ｙ）とを再生する。これらの情報がフィールド毎に時々刻々と送られてくる。以下では時間のパラメータｔを追加して、座標（Ｘ（ｔ）、Ｙ（ｔ））等と記載する。
【００９９】
描画部４４はフレームメモリを備える。そしてライトペン５０の描画スイッチ５１がオンであれば、座標（Ｘ（ｔ）、Ｙ（ｔ））に対応する画素を中心として所定の色および大きさのパターンをフレームメモリに書込む。
【０１００】
ライトペン５０が複数存在する場合には、それぞれのライトペン５０ａ〜５０ｄに対して同様の動作を行う。
【０１０１】
そして描画部４４は、フレームメモリに記憶されている画像信号を画像信号分配部４６に出力する。
【０１０２】
画像信号分配部４６は、外部から送られた画像信号と描画装置４０から出力された画像信号とを切換えてまたは合成して、マルチ画面表示装置３０で表示すべき画像信号を選択または作成する。そしてその画像信号を部分画像表示装置３０Ａ〜３０Ｄのそれぞれに対応する画像信号に分割して、対応する部分画像表示装置３０Ａ〜３０Ｄのそれぞれに分配する。
【０１０３】
マルチ画面表示装置３０の部分画像表示装置３０Ａ〜３０Ｄのそれぞれは、画像信号分配部４６から送られた画像信号を表示する。これにより外部から送られた画像信号またはライトペン５０のそれぞれで書いた画像、あるいはそれらを重畳した画像をマルチ画面表示装置３０に表示する。
【０１０４】
次に、画面表示システム１００の動作について説明する。
【０１０５】
図１３は、本発明の実施の形態におけるマルチ画面表示システム１００の描画の一例を示す模式図である。使用者が、例えば位置「Ａ」でライトペン５０を画像表示面に接触させて描画スイッチ５１をオンにしたとする。するとタイミング検出部５４はライトペン５０の指し示す部分画像表示装置が左上に配置された部分画像表示装置３０Ａであることを特定し、座標算出部５６はライトペン５０の指し示す位置「Ａ」の座標（Ｘ（ｔ）、Ｙ（ｔ））を算出する。そして描画部４４は座標（Ｘ（ｔ）、Ｙ（ｔ））に対応する画素を中心に、所定の色および大きさのパターンをフレームメモリに書込む。
【０１０６】
使用者がライトペンを画像表示面に接触させたまま図１３の位置「Ｂ１」まで移動させると、座標（Ｘ（ｔ）、Ｙ（ｔ））も移動する。そして描画部４４は移動する座標（Ｘ（ｔ）、Ｙ（ｔ））を中心に所定の色および大きさのパターンをフレームメモリに順次書込む。こうして描画部４４はライトペン５０の軌跡を示す画像信号を作成し、マルチ画面表示装置３０はこの画像信号に基づきライトペン５０の軌跡を表示する。
【０１０７】
使用者が、左上に配置された部分画像表示装置３０Ａの部分画像表示面の位置「Ｂ１」を越えて、右上に配置された部分画像表示装置３０Ｂの部分画像表示面の位置「Ｂ２」まで移動させたとする。このとき移動のタイミングによっては、ライトペンが左上に配置された部分画像表示装置３０Ａの表示装置識別期間Ｐｏの発光を受光し、その後、右上に配置された部分画像表示装置３０Ｂのｘ座標検出期間Ｐｘの発光を受光する可能性がある。
【０１０８】
ここで仮に、右上に配置された部分画像表示装置３０Ｂのｘ座標検出サブフィールドＳＦｘの駆動電圧波形が左上に配置された部分画像表示装置３０Ａのｘ座標検出サブフィールドＳＦｘの駆動電圧波形（図５参照）と同じであり、左端部から右端部まで移動する縦線が表示されると仮定する。すると座標算出部は、左上に配置された部分画像表示装置３０Ａの部分画像表示面の左端部の位置「Ｂ３」をライトペン５０の指し示す座標として算出することになり、大きな誤差を発生することになる。
【０１０９】
しかしながら本実施の形態においては、右上に配置された部分画像表示装置３０Ｂのｘ座標検出サブフィールドＳＦｘの駆動電圧波形は、左上に配置された部分画像表示装置３０Ａのｘ座標検出サブフィールドＳＦｘの駆動電圧波形とは異なり、右端部から左端部まで移動する縦線（第２の発光線Ｌｘ）が表示される。そのため、ライトペンが、左上に配置された部分画像表示装置３０Ａの表示装置識別期間Ｐｏの発光を受光し、続いて右上に配置された部分画像表示装置３０Ｂのｘ座標検出期間Ｐｘの発光を受光を受光した場合、左上に配置された部分画像表示装置３０Ａの部分画像表示面の右端部の位置「Ｂ１」の近傍をライトペン５０の指し示す座標として算出することになり、大きな誤差が発生するおそれがない。
【０１１０】
また使用者が、ライトペンを画像表示面に接触させたまま図１３の位置「Ｃ１」まで移動させ、さらに位置「Ｃ１」を越えて、右下に配置された部分画像表示装置３０Ｄの部分画像表示面の位置「Ｃ２」まで移動させたとする。このとき移動のタイミングによっては、ライトペンが右上に配置された部分画像表示装置３０Ｂの表示装置識別期間Ｐｏの発光を受光した後に、右下に配置された部分画像表示装置３０Ｄのｙ座標検出期間Ｐｙの発光を受光を受光する可能性がある。
【０１１１】
ここで仮に、右下に配置された部分画像表示装置３０Ｄのｙ座標検出サブフィールドＳＦｙの駆動電圧波形が右上に配置された部分画像表示装置３０Ｂのｙ座標検出サブフィールドＳＦｙの駆動電圧波形（図６参照）と同じであり、上端部から下端部まで移動する横線が表示されると仮定する。すると、右上に配置された部分画像表示装置３０Ａの部分画像表示面の上端部の位置「Ｃ３」をライトペン５０の指し示す座標として算出することになり、大きな誤差を発生することになる。
【０１１２】
しかしながら本実施の形態においては、右下に配置された部分画像表示装置３０Ｄのｙ座標検出サブフィールドＳＦｙの駆動電圧波形は、右上に配置された部分画像表示装置３０Ｂのｙ座標検出サブフィールドＳＦｙの駆動電圧波形とは異なり、下端部から上端部まで移動する横線（第１の発光線Ｌｙ）が表示される。そのため、ライトペンが右上に配置された部分画像表示装置３０Ｂの部分表示装置識別期間Ｐｏの発光を受光し、続けて右下に配置された部分画像表示装置３０Ｄのｙ座標検出期間Ｐｙの発光を受光を受光した場合、右上に配置された部分画像表示装置３０Ｂの部分画像表示面の下端部の位置「Ｃ１」の近傍をライトペン５０の指し示す座標として算出することになり、大きな誤差が発生するおそれがない。
【０１１３】
このように本実施の形態において使用者は、ライトペン５０を用いて大画面のマルチ画面表示装置に描画することができる。
【０１１４】
なお、ライトペン５０に描画機能だけでなく、以下のようにしてポインタ機能を持たせてもよい。
【０１１５】
使用者が、ライトペン５０を画像表示面から離して描画スイッチ５１をオフにする。この場合であっても座標（Ｘ（ｔ）、Ｙ（ｔ））を算出することができれば、描画部４４は、座標（Ｘ（ｔ）、Ｙ（ｔ））に対応する画素を中心に、カーソルを示す所定の色および形のパターンをフレームメモリに書込む。そして使用者が描画スイッチ５１をオフにしたままライトペン５０を移動させると、描画部４４は、１フィールド前の座標（Ｘ（ｔ−１）、Ｙ（ｔ−１））に対応するカーソルのパターンを消去しつつ、座標（Ｘ（ｔ）、Ｙ（ｔ））に対応する画素を中心に、カーソルを示す所定の色および形のパターンをフレームメモリに書込む。こうして描画部４４は、ライトペン５０が指し示す画像表示面上の位置を移動するカーソルを示す画像信号を作成することができる。これにより使用者は、離れた位置から画像表示面上の特定の位置を指し示すポインタとしてライトペン５０を使用することができる。
【０１１６】
なお実施の形態においては、ｙ座標検出期間Ｐｙに１行分の放電セル行を順次発光させて、部分画像表示面の上端部から下端部まで、または下端部から上端部まで走査する第１の発光線を示した。しかし本発明はこれに限定されるものではない。例えば、２行分ずつ放電セル行を順次発光させて走査する第１の発光線を表示してもよく、また１行おきに放電セル行を発光させて走査する第１の発光線を表示してもよい。同様に、ｙ座標検出期間Ｐｙにおいても、３列分の放電セル列を順次発光させて走査する第２の発光線を示したが、任意の複数列ずつ放電セル列を順次発光させてもよく、また複数列おきに放電セル列を発光させてもよい。これによりｙ座標検出サブフィールドＳＦｙ、ｘ座標検出サブフィールドＳＦｘに要する時間を短縮することができる。
【０１１７】
また本実施の形態においては、描画スイッチ５１はライトペン５０の先端部にのみ取付けられているとして説明したが、使用者が操作しやすいようにライトペン５０の側面に描画スイッチを設けてもよい。あるいはライトペン５０の先端部とライトペン５０の側面との両方に描画スイッチを設けてもよい。これにより画像表示面からはなれた位置であっても描画することができる。さらには、ライトペン５０の先端部に設けた描画スイッチで描画し、ライトペン５０の側面に設けたスイッチでカーソルを表示する構成であってもよい。
【０１１８】
また本実施の形態においては、４台の部分画像表示装置３０Ａ、３０Ｂ、３０Ｃ、３０Ｄを２行２列の行列状に配列して、マルチ画面表示装置３０を構成した。しかし本発明はこれに限定されるものではなく、複数の部分画像表示装置をＮ行Ｍ列（Ｎ、Ｍの少なくとも一方は２以上）の行列状に配列してマルチ画面表示装置を構成してもよい。
【０１１９】
また本実施の形態においては、部分画像表示装置のそれぞれは、行方向に延びた複数の走査電極および維持電極と列方向に延びた複数のデータ電極とを有するプラズマディスプレイパネルと、画像を表示するための画像表示サブフィールドと、走査電極および維持電極に表示装置識別パルスを交互に印加する表示装置識別サブフィールドと、データ電極にｙ座標検出電圧を印加したまま走査電極にｙ座標検出パルスを順次印加するｙ座標検出サブフィールドと、走査電極にｘ座標検出電圧を印加したままデータ電極にｘ座標検出パルスを順次印加するｘ座標検出サブフィールドと、を含む複数のサブフィールドで１フィールド期間を構成してプラズマディスプレイパネルを駆動する駆動回路と、を備えたプラズマディスプレイ装置であるとして説明した。しかし部分画像表示装置としてプラズマディスプレイパネル以外にも、液晶表示パネル、有機ＥＬ表示パネル、ＬＥＤパネル等を用いてマルチ画面表示装置を構成してもよい。
【０１２０】
また本実施の形態において説明した各回路ブロックは、電気回路として構成されてもよく、同様の動作をするようにプログラミングされたプロセッサ等を用いて構成されてもよい。
【０１２１】
また本実施の形態において用いた具体的な各数値は、単に一例を挙げたに過ぎず、パネルの特性やマルチ画面表示システムの仕様等に合わせて、適宜最適な値に設定することが望ましい。
【産業上の利用可能性】
【０１２２】
本発明のマルチ画面表示装置は、複数の部分画像表示装置を配列して大画面のマルチ画面表示装置を構成し、かつ部分画像表示面の境界付近であっても大きな誤差を含むことなくライトペンの指し示す座標を検出することができるので、プラズマディスプレイパネル、液晶表示パネル、有機ＥＬ表示パネル、ＬＥＤパネル等を用いた画像表示装置に、ライトペンを用いて手書き入力が可能な画像表示システムとして有用である。
【符号の説明】
【０１２３】
１０    パネル
１２    走査電極
１３    維持電極
２２    データ電極
３０    マルチ画面表示装置
３１    画像信号処理回路
３２    データ電極駆動回路
３３    走査電極駆動回路
３４    維持電極駆動回路
３５    タイミング発生回路
４０    描画装置
４２    受信部
４４    描画部
５０，５０ａ，５０ｂ，５０ｃ，５０ｄ    ライトペン
５１，５１ａ，５１ｂ    描画スイッチ
５２，５２ａ，５２ｂ    受光素子
５４，５４ａ，５４ｂ    タイミング検出部
５６    座標算出部
５９    送信部
１００    マルチ画面表示システム
【図１】
2015135534.tif 000003
【図２】
2015135534.tif 000004
【図３】
2015135534.tif 000005
【図４】
2015135534.tif 000006
【図５】
2015135534.tif 000007
【図６】
2015135534.tif 000008
【図７】
2015135534.tif 000009
【図８】
2015135534.tif 000010
【図９】
2015135534.tif 000011
【図１０】
2015135534.tif 000012
【図１１】
2015135534.tif 000013
【図１２】
2015135534.tif 000014
【図１３】
2015135534.tif 000015